(57)【要約】【課題】蓄熱体の短寿命化を防止できる蓄熱システム及び蓄熱装置を提供する。【解決手段】本発明に係る蓄熱システム１００において、蓄熱容器１ａには、エリスリトール３及び油２が収容される。エリスリトール３は潜熱蓄熱により蓄熱するもので、油２は、エリスリトール３に接触することで熱交換し、エリスリトール３よりも比重が小さくエリスリトール３とは分離するものである。そして、蓄熱システム１００は、蓄熱容器１ａの内部へ窒素を供給する供給機構８を有する。【選択図】図２
2008157578.tif 000002
【特許請求の範囲】
【請求項１】
潜熱蓄熱により蓄熱する蓄熱体と、
前記蓄熱体に接触することで熱交換し、前記蓄熱体よりも比重が小さく前記蓄熱体とは分離する熱交換媒体と、
前記蓄熱体及び前記熱交換媒体を収容する蓄熱容器と、
前記蓄熱容器の内部へ不活性ガスを供給する供給手段と、を有することを特徴とする蓄熱システム。
【請求項２】
前記蓄熱容器は、前記不活性ガスが前記蓄熱容器内部へ滞留可能となるように密閉状に形成されていることを特徴とする請求項１に記載の蓄熱システム。
【請求項３】
前記蓄熱容器内部の気体を排気する排気手段と、
前記供給手段により不活性ガスが供給されているときに前記蓄熱容器内部の気体が排気されるように前記排気手段を制御する排気制御手段と、をさらに有することを特徴とする請求項２に記載の蓄熱システム。
【請求項４】
前記排気手段により排気された気体中の酸素量を測定する酸素量測定手段と、
前記酸素量測定手段を用いて測定された酸素量に応じて前記供給手段及び前記排気手段を制御する給排気制御手段と、をさらに有することを特徴とする請求項３に記載の蓄熱システム。
【請求項５】
前記供給手段による不活性ガスの供給は、前記蓄熱体への蓄熱時において行なわれることを特徴とする請求項１乃至５のいずれか１項に記載の蓄熱システム。
【請求項６】
潜熱蓄熱により蓄熱する蓄熱体と、
前記蓄熱体に接触することで熱交換し、前記蓄熱体よりも比重が小さく前記蓄熱体とは分離する熱交換媒体と、
前記蓄熱体及び前記熱交換媒体を収容する蓄熱容器と、を有する蓄熱装置であって、
前記蓄熱容器には、前記蓄熱容器の内部へ不活性ガスを供給するための供給用開口部が設けられていることを特徴とする蓄熱装置。
【請求項７】
前記蓄熱容器は、前記不活性ガスが前記蓄熱容器内部へ滞留可能となるように密閉状に形成されていることを特徴とする請求項６に記載の蓄熱装置。
【請求項８】
前記蓄熱容器から排気される気体の圧力を調整する圧力調整弁をさらに有することを特徴とする請求項６又は７に記載の蓄熱装置。
【発明の詳細な説明】
【技術分野】
【０００１】
本発明は、発生した熱を蓄え、離れた場所に熱を輸送することができる、又は定置式の蓄熱システム及び蓄熱装置に関する。
【背景技術】
【０００２】
工場（例えば、製鉄所、ゴミ処理場等）において発生する熱は、工場付近の様々な施設に利用されている。また、工場で発生した熱を一時的に蓄熱体等に蓄え、その蓄熱体を輸送することで、工場から離れた場所においても熱を利用することができる。
【０００３】
特許文献１には、蓄熱体の融解潜熱を利用する蓄熱装置に関する技術が開示されている。特許文献１の蓄熱装置に含まれる貯蔵容器（蓄熱容器）には、エリスリトール等の蓄熱体と、蓄熱体よりも比重が小さい油（熱交換媒体）とが収容されている。蓄熱した状態にある蓄熱体は融解状態にあるため、蓄熱体より比重の小さな油とは混合することなく、上下に分離して収容される。貯蔵容器（蓄熱容器）には、油を外部から供給し、また、外部へと排出するための供給管及び排出管が貫設されており、当該供給管及び排出管に接続される熱交換器側パイプは、熱交換器へ熱的に接続されている。また、供給管及び排出管に接続される熱交換器側パイプは、熱交換器の内部で連通している。
【０００４】
そして、貯蔵容器（蓄熱容器）へ蓄熱する場合には、油は、供給管、排出管及び熱交換器側パイプを通り、工場側の熱交換器内部で熱供給され、その熱供給された状態で、供給管を通って蓄熱体の下方に送り込まれる。送り込まれた油は比重が小さいため、蓄熱体の上方まで上昇する。この上昇の間に、蓄熱体と油との直接接触により熱交換が行なわれ、油の熱が蓄熱体へ供給される。以上の動作を繰り返すことで、蓄熱体への蓄熱が行なわれるようになっている。
【０００５】
一方、蓄熱体に蓄熱された熱を回収して利用する場合には、熱供給されていない油を、蓄熱体の下方へ送り込む。そして、送り込まれた油が蓄熱体内を上昇する間に、蓄熱体と油との直接接触により熱交換が行なわれ、蓄熱体に蓄熱された熱が、上昇する油へ供給される。そして、別途設けられた熱交換器において、上記のようにして熱供給された油の熱を回収することができる。以上の動作を繰り返すことで、蓄熱体に蓄熱された熱を回収して利用することができる。
【０００６】
そして、上記の貯蔵容器（蓄熱容器）は、トラック等により輸送可能となっているため、熱を発生する工場等と、その熱を利用する温水プール等の施設とが互いに離れている場合であっても、蓄熱された状態の蓄熱体が収容されている貯蔵容器を輸送することにより、熱輸送を行なうことができる。また、貯蔵容器内に蓄えられた熱を利用することにより、熱を利用する温水プール等の施設において、地球温暖化ガスであるＣＯ２の排出量を削減することができる。
【特許文献１】特開２００５−１８８９１６号公報
【発明の開示】
【発明が解決しようとする課題】
【０００７】
ところで、特許文献１に記載されている貯蔵容器（蓄熱容器）の内部において、蓄熱体（エリスリトール）及び熱交換媒体（油）部分を除いた上部の「空間部分」には、通常、空気が充填されていることになるので、この空間部分は酸素雰囲気であるといえる。そして、比重が蓄熱体よりも小さい熱交換媒体は、この空間部分の空気と接触しているために、熱交換媒体には酸素が取り込まれ易い。この状態において、蓄熱時に１４０度以上となった高温の熱交換媒体を循環させて蓄熱体を加熱すると、熱交換媒体中に含まれる酸素の影響によって、蓄熱体が酸化により劣化し、その結果、蓄熱体が短寿命化してしまう。
【０００８】
そこで、本発明の目的は、蓄熱体の短寿命化を防止できる蓄熱システム及び蓄熱装置を提供することである。
【課題を解決するための手段及び効果】
【０００９】
上記の目的を達成するために、本発明に係る蓄熱システムは、潜熱蓄熱により蓄熱する蓄熱体と、前記蓄熱体に接触することで熱交換し、前記蓄熱体よりも比重が小さく前記蓄熱体とは分離する熱交換媒体と、前記蓄熱体及び前記熱交換媒体を収容する蓄熱容器と、前記蓄熱容器の内部へ不活性ガスを供給する供給手段と、を有する。
【００１０】
この構成によると、供給手段により、蓄熱容器内部へ不活性ガスが供給されることで、蓄熱容器内部の空間部分における酸素の比率が小さくなり、且つ、不活性ガスの比率が大きくなるために、蓄熱体の酸化が抑止される。そのため、蓄熱体の短寿命化を防止できる。
【００１１】
前記蓄熱容器は、前記不活性ガスが前記蓄熱容器内部へ滞留可能となるように密閉状に形成されていてもよい。これによると、供給手段により供給された不活性ガスが蓄熱容器内部に滞留するために、蓄熱容器内部の不活性ガスの比率を効率的に高めることができ、蓄熱体の酸化がより効率的に抑止される。
【００１２】
前記蓄熱容器内部の気体を排気する排気手段と、前記供給手段により不活性ガスが供給されているときに前記蓄熱容器内部の気体が排気されるように前記排気手段を制御する排気制御手段と、をさらに有していてもよい。これによると、蓄熱容器内部の酸素を取り除き、且つ、蓄熱容器内部へ不活性ガスを供給することで、蓄熱体の酸化がより効率的に抑止される。そのため、蓄熱体の短寿命化をより効率的に防止できる。また、不活性ガスの供給時において排気するために、蓄熱容器内部の気圧を大きく変化させることなく、蓄熱容器内部の気体を不活性ガスと置換することができる。
【００１３】
前記排気手段により排気された気体中の酸素量を測定する酸素量測定手段と、前記酸素量測定手段を用いて測定された酸素量に応じて前記供給手段及び前記排気手段を制御する給排気制御手段と、をさらに有していてもよい。これによると、排気された気体中の酸素量に応じて不活性ガスの供給量、排気される気体の量を変化させることで、供給手段、排気手段を効率的に制御して、蓄熱体の短寿命化をさらに効率的に防止できる。また、不活性ガスの供給量を必要とされる最小限の量とすることができる。
【００１４】
前記供給手段による不活性ガスの供給は、前記蓄熱体への蓄熱時において行なわれてもよい。特に蓄熱時には、高温の熱交換媒体が蓄熱体内部を経由して循環流通するために、蓄熱体の酸化による劣化が早い。そのため、このような構成にすることにより、蓄熱体の短寿命化を効率的に防止できる。
【００１５】
また、上記の目的を達成するために、本発明に係る蓄熱装置は、潜熱蓄熱により蓄熱する蓄熱体と、前記蓄熱体に接触することで熱交換し、前記蓄熱体よりも比重が小さく前記蓄熱体とは分離する熱交換媒体と、前記蓄熱体及び前記熱交換媒体を収容する蓄熱容器と、を有する蓄熱装置であって、前記蓄熱容器には、前記蓄熱容器の内部へ不活性ガスを供給するための供給用開口部が設けられている。
【００１６】
この構成によると、供給手段により蓄熱容器内部へ不活性ガスが供給されることで、蓄熱体の酸化が抑止される。そのため、蓄熱体の短寿命化を防止できる。
【００１７】
前記蓄熱容器は、前記不活性ガスが前記蓄熱容器内部へ滞留可能となるように密閉状に形成されていてもよい。これによると、供給手段により供給された不活性ガスが蓄熱容器内部に留まるために、蓄熱容器内部の不活性ガスの比率を効率的に高めることができ、蓄熱体の酸化がより効率的に抑止される。
【００１８】
前記蓄熱容器から排気される気体の圧力を調整する圧力調整弁をさらに有していてもよい。これによると、蓄熱装置の運搬中に、内部のガス抜きをすることができ、蓄熱容器内部の圧力を適切に調整できる。また、蓄熱時等においても、排気される気体の量を細かく調整できるので、排気された気体の酸素量に応じて、気体が排気される量をより適切に調整でき、蓄熱体の短寿命化をさらに効率的に防止できる。
【発明を実施するための最良の形態】
【００１９】
以下、本発明の好適な実施形態について、図面を参照しつつ説明する。
【００２０】
（全体構成）
まず、本発明の第１実施形態に係る蓄熱システム及び蓄熱装置を用いた蓄熱について、図１の概略図を参照しながら説明する。
【００２１】
本実施形態の蓄熱システム及び蓄熱装置は、例えば、図１に示すように、熱を発生する工場（熱源）８０とその熱を利用する施設（熱利用機構）８５とが互いに離れている場合に適用される。まず、蓄熱装置１（蓄熱容器１ａ）への蓄熱についての概要を説明する。蓄熱装置１は、蓄熱体及び熱交換媒体（後述）を収容する可搬式の蓄熱容器１ａを含んで構成される。この場合、蓄熱容器１ａは熱交換器５ａに対して、接続口５１、５２を介して着脱可能に接続され、蓄熱の完了した（蓄熱済みの）蓄熱容器１ａは、トラック等の輸送機構５０の荷台５０ｂに搭載され、工場８０から施設８５へと輸送される。工場８０は、具体的には製鉄所等であり、その他、ごみ焼却場や発電所等であってもよい。そして、そこで排出される熱が熱交換器５ａ及び熱交換媒体を介して蓄熱容器１ａに蓄えられる。また、熱交換器５ａは、工場８０の熱を、熱交換器５ａ中を流通する熱交換媒体へ伝達するためのものである。一つの蓄熱容器１ａの蓄熱が完了した後、待機している未蓄熱状態の蓄熱容器１ａの接続口を、熱交換器５ａとの接続口５１、５２へ接続することで、次の未蓄熱状態の蓄熱容器１ａに対して同様に蓄熱が行なわれる。このようにして工場８０の熱を順次蓄熱容器１ａに蓄熱することができる。
【００２２】
次に、蓄熱容器１ａに蓄えられた熱の利用（以下、これを放熱と記す）についての概要を説明する。この場合、蓄熱容器１ａは、熱交換器５ｂに対して、接続口５３、５４を介して着脱可能に接続され、放熱の完了した蓄熱容器１ａは、トラック等の輸送機構５０により、施設８５から工場８０へと輸送される。施設８５は、温水プールや病院等の施設であり、蓄熱容器１ａに蓄えられた熱が熱交換媒体及び熱交換器５ｂを介して放熱されることで、施設８５内の温調設備等に適用される。また、熱交換器５ｂは、蓄熱容器１ａに蓄積された熱を施設８５へ伝達するためのものである。一つの蓄熱容器１ａの放熱が完了した後、待機している次の蓄熱済み蓄熱容器１ａの接続口を、熱交換器５ｂとの接続口５３、５４へ接続することで、施設８５において、さらに熱を利用することができる。このようにして、施設８５において、順次蓄熱容器１ａに蓄えられた熱を放熱して利用することができる。
【００２３】
（蓄熱システム及び蓄熱装置について）
次に、図２を参照しながら、本実施形態に係る蓄熱システム及び蓄熱装置１の具体的な構成について説明する。図２は蓄熱装置１を含む蓄熱システム１００の蓄熱側を示す概略図である。図２においては、工場８０を省略して示している。また、図２の蓄熱容器１ａ部分については、鉛直方向断面概略図として示している。
【００２４】
図２に示すように、蓄熱システム１００は、エリスリトール３、油２、蓄熱容器１ａ、供給管４、排出管６、供給機構８、排気機構９、コンピュータ１０を含んで構成されている。また、蓄熱装置１は、エリスリトール３、油２、蓄熱容器１ａ、供給管４、排出管６を含んで構成されている。そして、供給機構（窒素供給機構）８、排気機構９等は、コンピュータ１０と電気的に接続されており、供給機構８、排気機構９等は、コンピュータ１０からの命令を受けて制御される。
【００２５】
そして、蓄熱システム１００においては、蓄熱、放熱時に、蓄熱容器１ａの内部と熱交換器５ａとの間で、熱交換媒体である油２が循環流通するようになっており、また、エリスリトール３の酸化による短寿命化を防止するため、蓄熱容器１ａ内部の気体の排気、蓄熱容器１ａ内部への窒素（不活性ガス）の供給ができるようになっている。
【００２６】
（コンピュータについて）
図２に示されているコンピュータ１０は、例えば汎用のパーソナルコンピュータなどの情報処理装置によって構成されている。かかる情報処理装置には、ＣＰＵ、ＲＯＭ、ＲＡＭ、ハードディスク、ＦＤやＣＤの駆動装置などのハードウェアが収納されており、ハードディスクには、当該情報処理装置を機能させるためのプログラム（このプログラムは、ＣＤ−ＲＯＭ、ＦＤ、ＭＯなどのリムーバブル型記録媒体に記録しておくことにより、任意のコンピュータにインストールすることが可能である）を含む各種のソフトウェアが記憶されている。そして、これらのハードウェア及びソフトウェアが組み合わされることによって、後述するような各部が構築されている。
【００２７】
図３に示すように、コンピュータ１０は、内部に給排気制御部１０ｃ、記憶部１０ｄを有している。また、給排気制御部１０ｃは、供給制御部１０ａ、排気制御部１０ｂ、判断部１０ｅを有して構成されている。
【００２８】
給排気制御部１０ｃは、供給制御部１０ａ、排気制御部１０ｂを統括的に制御するものである。また、給排気制御部１０ｃは、排気機構９により排気された気体中の酸素量を測定する酸素計９ｗ（後述する）を用いて測定された酸素量に応じて、供給制御部１０ａ及び排気制御部１０ｂを適宜制御する。
【００２９】
供給制御部１０ａは、供給機構８の動作の制御を行なうものであり、これにより、供給機構８が窒素を蓄熱容器１ａへ供給し又は窒素の供給を停止する。具体的には、供給制御部１０ａは、エリスリトール３への蓄熱時において、供給機構８による窒素の供給が行なわれるように供給機構８を制御する。
【００３０】
排気制御部１０ｂは、蓄熱容器１ａ内部の気体を排気する排気機構９の動作の制御を行なうものであり、これにより、排気機構９が蓄熱容器１ａ内部の気体を外部へ排気し、又は気体の排気を停止する。具体的には、排気制御部１０ｂは、供給機構８により窒素（不活性ガス）が供給されているときに蓄熱容器１ａ内部の気体が排気されるように排気機構９を制御する。
【００３１】
判断部１０ｅは、供給機構８及び排気機構９の具体的制御内容についての判断を行なうものである。例えば、酸素計９ｗを用いて測定された酸素量を読み取り当該酸素量と、記憶部１０ｄ（後述）に記憶された酸素量の上限値とを比較して、供給機構８及び排気機構９の具体的動作について判断を行ない、その判断結果を供給制御部１０ａ及び排気制御部１０ｂへ伝達する。また、判断部１０ｅは、蓄熱装置１（蓄熱システム１００）が蓄熱を行なっている状態、放熱を行なっている状態、及びそれ以外のどの状態にあるかを判断し、状態に応じて、供給制御部１０ａ及び排気制御部１０ｂへ制御命令を出すかどうか、どのような制御を行なうか等について判断する。
【００３２】
記憶部１０ｄには、蓄熱システム１の運転管理に必要な各種情報が記憶されている。例えば、蓄熱時、放熱時、及びその他のそれぞれの状態において、蓄熱容器１ａ内部の許容される酸素量の上限値が記憶されており、この上限値を基に、判断部１０ｅが、供給機構８及び排気機構９の制御について判断することになる。本実施形態においては、この酸素量の上限値としては、実験により経験的に蓄積されたデータを基に、エリスリトール３の酸化による劣化を考慮して得られた値が用いられるが、このような値には限られない。
【００３３】
（蓄熱容器）
蓄熱容器１ａの構成について説明する。蓄熱容器１ａの形状は図２のようになっている。すなわち、蓄熱容器１ａは、底部、上部、及び四方の側部を構成する複数の板状部材から成る。そして、蓄熱容器１ａの上部（上板部）には、蓄熱容器１ａの内部へ不活性ガスを供給するための供給用開口部１ｉ、及び、蓄熱容器１ａ内部の気体を排気するための排気用開口部１ｅが形成されている。また、蓄熱容器１ａの側部（側板部）には、供給管４、排出管６を貫通設置するための、供給管用孔部１ｙ、排出管用孔部１ｚが形成されている。
【００３４】
そして、蓄熱時及び放熱時において、蓄熱容器１ａには、油（熱交換媒体）２と、エリスリトール（蓄熱体）３とが収容される。そして、蓄熱容器１ａの内部において、エリスリトール３及び油２部分を除いた上部には空間部分１ｐが形成される。
【００３５】
また、蓄熱容器１ａは、供給機構８により供給された不活性ガスが蓄熱容器１ａ内部へ滞留可能となるように密閉状に形成されている。ここで、「密閉状」とは、蓄熱容器１ａの外部との間における流体の出入りのために必要な、供給管用孔部１ｙ、排出管用孔部１ｚ、供給用開口部１ｉ、排気用開口部１ｅを除いて密閉された構造となっており、且つ、流体の出入り量を任意に調整できるということを表わしている。
【００３６】
また、蓄熱容器１ａの上板部には、蓄熱容器側供給管１ｒが設けられており、蓄熱容器側供給管１ｒは、その内部空間が、供給用開口部１ｉを通じて蓄熱容器１ａの内部空間へ連通するように配置されている。また、蓄熱容器１ａの上板部には、蓄熱容器側排気管１ｓが設けられており、蓄熱容器側排気管１ｓは、その内部空間が、排気用開口部１ｅを通じて蓄熱容器１ａの内部空間へ連通するように配置されている。また、供給管４及び排出管６が、供給管用孔部１ｙ、排出管用孔部１ｚを貫通して蓄熱容器１ａに取り付けられている。
【００３７】
また、蓄熱容器１ａには、供給管４及び排出管６が、蓄熱容器１ａ内部に連通して設けられている（詳細は後述する）。そして、供給管４及び排出管６と、熱交換器側内部を通る熱交換器側パイプとが接続されて、熱交換媒体である油２が、蓄熱容器１ａの内部及び熱交換器の内部を経由しつつ循環流通できるようになっている。
【００３８】
（蓄熱装置）
また、蓄熱容器１ａは、供給管４、排出管６、蓄熱容器側供給管１ｒ及び蓄熱容器側排気管１ｓが蓄熱容器１ａに取り付けられている状態で、上記の輸送機構５０により輸送可能となっている。図２の破線Ａ部分が、この輸送可能な部分を表わしており、Ａ部分が蓄熱装置１に相当する。なお、本実施形態においては、蓄熱容器１ａに、供給管４及び排出管６が固定設置されているが、例えば、蓄熱、放熱時にのみ、供給管及び排出管を蓄熱容器内部へ挿入し、運搬時には供給管、排出管を取り外す、という形態であってもよい。蓄熱容器側供給管１ｒ及び蓄熱容器側排気管１ｓについても同様である。
【００３９】
また、蓄熱装置１は、蓄熱容器１ａ内部の圧力を機械的に自動調整する圧力調整弁１ｑを有する。圧力調整弁１ｑは、逃がし弁（安全弁）であり、容器内の圧力が規定値以上になると自動的に作動し、気体を外に排出して圧力を調整する。そして、圧力が所定の値以下に降下すれば、再び弁体が閉じる機能を有する。このような弁としては、バネ式のもの、てこ式のもの等がある。圧力調整弁１ｑの作用により、容器内部の気体を放出して内部圧力を低下させることができる。また、圧力調整弁１ｑの調整（開状態、閉状態でのロック等）は、オペレータが行なってもよい。
【００４０】
（供給管）
次に供給管４について説明する。供給管４は、蓄熱容器１ａの外部から内部へ貫通して設けられている。また、供給管４は、収容されたエリスリトール３が位置する蓄熱容器１ａの下層部分において蓄熱容器１ａへ取り付けられており、水平方向に伸びるように形成されている。すなわち、供給管４は、蓄熱容器１ａの内部において全体的にエリスリトール３と接触するように配置されている。また、供給管４は内部空間を有しており、熱交換器５ａに熱供給された油２が当該内部空間を流通するようになっている。また、供給管４はパイプ状に形成されている。なお、供給管４の先端部は一本でもよいし、複数設けられていてもよい。
【００４１】
また、供給管４は、放出孔４ｈをその軸方向に沿って複数有しており、供給管４の内部を流通する油２はこの放出孔４ｈから放出される。なお、供給管４に設けられた放出孔４ｈは、上向きに開口するように設けられている。
【００４２】
なお、放出孔の配置はこのようなものには限られない。また、本実施形態においては、熱交換媒体の供給部としてパイプ状の供給管４を用いているが、供給部はこのようなパイプ状のものには限られず、油２が流通する内部空間を有する直方体状（ボックス状）で、表面に複数の放出口が設けられた供給部（先端部）を有しているものであってもよい。
【００４３】
（排出管）
次に排出管６について説明する。排出管６もまた、蓄熱容器１ａの外部から内部へ貫通して設けられている。また、排出管６は、収容された油２が位置する蓄熱容器１ａの上層部分において蓄熱容器１ａへ取り付けられており、蓄熱容器１ａ内の油２は、排出管６を通して蓄熱容器１ａの外部へ排出される。また、排出管６は、油２と接触するように配置されており、蓄熱容器１ａ内部の油２は、排出管６の先端に設けられた排出口６ｈより排出管６へ取り込まれるようになっている。
【００４４】
また、図２に示すように、蓄熱時には、供給管４の接続口４１が、熱交換器側パイプ７ａとの接続口５１に着脱可能に接続され、排出管６の接続口６１が、熱交換器側パイプ７ｂとの接続口５２に着脱可能に接続された状態となる。
【００４５】
（供給機構）
供給機構８は、蓄熱容器１ａの内部へ不活性ガスである窒素を供給するものであり、窒素が貯蔵されている窒素貯蔵容器８ａ、貯蔵容器側供給管８ｒ、蓄熱容器側供給管１ｒを有して構成されている。貯蔵容器側供給管８ｒは、窒素貯蔵容器８ａの内部と連通しており、蓄熱容器側供給管１ｒは、蓄熱容器１ａの内部空間と連通している。また、貯蔵容器側供給管８ｒ及び蓄熱容器側供給管１ｒは、カップリング８ｃ、１ｃを介して接続され、また、運搬時等においてカップリング８ｃ、１ｃを切り離すことで、貯蔵容器側供給管８ｒと蓄熱容器側供給管１ｒとを切り離すことができる。また、貯蔵容器側供給管８ｒの途中にはバルブ８ｖが、蓄熱容器側供給管１ｒの途中にはバルブ１ｖがそれぞれ設けられている。また、バルブ１ｖ、８ｖは、コンピュータ１０と電気的に接続されている。このような構成により、窒素貯蔵容器８ａの内部は、貯蔵容器側供給管８ｒ及び蓄熱容器側供給管１ｒを介して蓄熱容器１ａの内部空間と連通し、バルブ１ｖ、８ｖを適宜調整制御することにより、窒素貯蔵容器８ａ内部の窒素を蓄熱容器１ａ内部へ供給することができる。また、バルブ１ｖ、８ｖを調整することで、供給量を調整することもできる。運搬時には、バルブ１ｖは閉状態となる。
【００４６】
なお、本実施形態においては、不活性ガスとして窒素を用いているが、供給機構によって供給される不活性ガスは窒素には限られず、例えば、ヘリウム、ネオン、アルゴン等の希ガスを用いてもよい。
【００４７】
（排気機構）
排気機構９は、蓄熱容器側排気管１ｓ、排気管９ｓを有して構成されている。蓄熱容器側排気管１ｓは、蓄熱容器１ａの内部空間と連通している。また、排気管８ｒは、図示しない排気部へと連通している。排気部は、例えば、外部空間への放出口等であり、途中にエアフィルター等の排気処理機構を設置してもよい。また、蓄熱容器側排気管１ｓ及び排気管９ｓは、カップリング１ｄ、９ｃを介して接続され、また、運搬等においてカップリング１ｄ、９ｃを切り離すことで、蓄熱容器側排気管１ｓ、排気管９ｓを切り離すことができる。また、蓄熱容器側排気管１ｓの途中にはバルブ１ｗが、排気管９ｓの途中にはバルブ９ｖがそれぞれ設けられている。また、バルブ１ｗ、バルブ９ｖは、コンピュータ１０と電気的に接続されている。このような構成により、蓄熱容器１ａの内部は、蓄熱容器側排気管１ｓ、排気管９ｓを介して外部空間と連通し、バルブ１ｗ、９ｖを適宜調整制御することにより、蓄熱容器１ａ内部の気体を、容器の外部へ排気することができるようになっている。また、バルブ１ｗ、バルブ９ｖを調整することで、排気量を調整することもできる。
【００４８】
また、排気機構９の排気管９ｓの途中には、酸素計（酸素量測定手段）９ｗが設置されており、この酸素計９ｗにより、排気機構９によって蓄熱容器１ａの内部から排気された（排気管９ｓ中を通る）排気中の酸素量をモニタリングすることができる。そして、酸素計９ｗもまたコンピュータ１０と電気的に接続されており、コンピュータ１０の給排気制御部１０ｃは、酸素計９ｗからの酸素量情報に応じて、供給機構８及び排気機構９を制御する。また、ここでの酸素量の測定値は、具体的には、酸素の体積濃度、重量濃度、酸素分圧等を測定することで得られるもので、酸素計としては、ジルコニア式等が用いられる。
【００４９】
（熱交換媒体）
本実施形態において熱交換媒体として用いられる油２は、エリスリトール３との間で、直接接触による熱交換を行なう。まず、蓄熱時には、油２は排出管６、熱交換器側パイプ７ａを通り、熱交換器５ａ内で熱供給された後、パイプ７ｂ、供給管４を通ってエリスリトール３内に放出される（以下の説明において、蓄熱時に熱交換器５ａで熱供給された油２を特に油２ａと、また、放熱時に蓄熱容器１ａでエリスリトール３から熱供給された油２を特に油２ｂと記す）。放出された油２ａは、比重がエリスリトール３よりも小さいため、上層の油２の位置にまで上昇し、油２に取込まれる。この上昇中に、エリスリトール３との直接接触により、油２ａの熱がエリスリトール３に伝達されるようになっている。
【００５０】
また、放熱時には、油２は排出管６、熱交換器側パイプを通り、熱交換器５ｂ（図１参照）内で放熱後、供給管４を通ってエリスリトール３内に放出される。この放出された（放熱後の）油２は、比重がエリスリトール３よりも小さいため、上層の油２の位置にまで上昇し、油２に取込まれる。この上昇中に、エリスリトール３との直接接触により、エリスリトール３に蓄熱された熱が油２に伝達されるようになっている。
【００５１】
なお、熱交換器側パイプ７ａの途中にはポンプ６ｐが設置されており、ポンプ６ｐの作用により、熱交換器５ａ及び蓄熱容器１ａの間を油２が循環流通するようになっている。また、ポンプ６ｐはコンピュータ１０に電気的に接続されており、コンピュータ１０によってポンプ６ｐの動作を制御することができるようになっている。
【００５２】
（蓄熱体）
エリスリトール３は、蓄熱時には、上記の油２ａから伝達された熱を蓄える。また、放熱時には、放熱後の油２へ熱を伝達する。エリスリトール３の融点は約１１９度であり、平時には（室温状態では）固体となっている。そして、油２ａから直接接触により熱が伝達されることにより、固体から液体に状態変化し、液体状態のときに蓄熱されるようになっている。すなわち、エリスリトール３は、潜熱蓄熱を利用して蓄熱するものである。一方、エリスリトール３は、液体から固体へ状態変化するときに放熱するので、熱を取り出すことができる。ここで、エリスリトールは、融解熱が７６ｋｃａｌ／ｋｇと高いことから、その蓄熱量が大きいために蓄熱体として望ましい。ここではエリスリトールを用いているが、蓄熱体としては、その他にも、酢酸ナトリウム（融解熱：６３ｋｃａｌ／ｋｇ）、糖アルコール類等、融解熱（潜熱）が大きいものを用いることができる。
【００５３】
（油及びエリスリトール）
油２とエリスリトール３とは互いに混合せず、油２がエリスリトール３よりも比重が小さいため、蓄熱容器１ａ内では、油２が上層、エリスリトール３が下層となるように収容される。また、油２とエリスリトール３とが互いに混合しないため、油２とエリスリトール３との間には、夫々を分離するための部材等は介在せず、油２とエリスリトール３とは直接接触している。
【００５４】
（熱交換器）
図１、２に示すように、蓄熱側の熱交換器５ａは、工場８０で発生した熱を油２へ伝達するためのものである。そして、熱交換器側パイプ７ｂ、７ａには、接続口５２、５１において、供給管４及び排出管６の接続口４１、６１がそれぞれ着脱可能に接続される。また、熱交換器側パイプ７ｂ、７ａは、熱交換器５ａの内部において連通するように構成されている。そして、蓄熱容器１ａ内部の油２が蓄熱容器１ａ側から熱交換機５ａ内部へと取り込まれる。一方、工場８０から排出された高温の蒸気や空気等の熱媒体が熱交換器５ａ内部へ送り込まれる。そして、取り込まれた油２が流通する熱交換器側パイプ７ａ、７ｂ、及び、熱媒体が流通するパイプが、熱交換器５ａの内部で互いに接触するように設けられており、且つ、これらの配管が熱伝導率の高い部材から形成されているために、パイプの壁を通して、熱媒体の熱が間接的に油２に伝達される。このようにして、蒸気や空気等の熱媒体を介して送り込まれた熱が、熱交換器５ａ内での熱交換により、熱交換器側パイプ７ａ、７ｂ中を流通する油２へ伝達される。そして、熱交換器側パイプ７ａ、７ｂ及び油２により熱を取り除かれた蒸気等の熱媒体が、再び工場８０へ還流するようになっている。そのため、工場（熱源）８０と熱交換器側パイプ７ａ、７ｂとは、熱的に接続されているといえる。
【００５５】
なお、本実施形態においては、工場から排出された熱媒体を熱交換器へ供給するためのパイプ、及び、熱交換後の熱媒体を再び工場へ向けて熱交換器から排出するためのパイプが熱交換器の内部で連通しているが、このような構成には限られず、これらのパイプが熱交換器の内部で連通せず、上流側パイプから、高温の蒸気や空気等の熱媒体が熱交換器内部へ送り込まれ、油へ熱が伝達された後、熱を取り除かれた蒸気等の熱媒体が、下流側パイプから排出されるようになっていてもよい。
【００５６】
また、放熱側の熱交換器５ｂは、蓄熱容器１ａに蓄えられた熱を、施設８５へ伝達するためのものである。そして、蓄熱側と同様に、熱交換器側パイプには、接続口５４、５３において、供給管４及び排出管６の接続口４１、６１がそれぞれ着脱可能に接続される。また、熱交換器側パイプは、熱交換器５ｂの内部において連通するように構成されている。そして、熱交換器５ｂには、蓄熱容器１ａのエリスリトール３に蓄えられた熱が供給された油２ｂが、蓄熱容器１ａ側から取り込まれる。一方で、熱交換器５ｂには、施設８５に熱を伝達するための熱媒体が施設８５側から取り込まれる。ここで、取り込まれた油２ｂが流通する熱交換器側パイプ、及び、熱媒体が流通するパイプが、熱交換器５ｂの内部で互いに接触するように設けられており、且つ、これらの配管が熱伝導率の高い部材から形成されているために、パイプの壁を通して、油２ｂの熱が間接的に熱媒体に伝達される。そして、このような熱交換により熱を与えられた熱媒体が、パイプを通って施設８５へ還流するようになっている。以上から、施設８５と熱交換器側パイプとは、熱的に接続されているといえる。
【００５７】
（熱輸送システムにおける各行程について）
次に、熱輸送システムによる蓄熱、輸送、放熱の各工程について説明する。
【００５８】
（蓄熱）
まず、蓄熱工程において、蓄熱容器１ａへの蓄熱が行なわれる。このとき、蓄熱容器１ａには、予め熱交換媒体である油２が注入・供給された状態となっている。蓄熱工程においては、工場８０から蒸気として排出された熱が、熱交換器５ａにおいて、油２へと伝達される。
【００５９】
そして、熱供給された油２ａが、熱交換器側パイプ７ｂ及び供給管４を通って、放出孔４ｈから、エリスリトール３が位置する蓄熱容器１ａの下層部分に供給される。ここで、油２ａは、エリスリトール３よりも比重が小さいため、油２ａが放出孔４ｈから蓄熱容器１ａの下層部分へ導入されたときに、エリスリトール３と直接接触しつつ、蓄熱容器１ａの上層部分へと上昇する。このときに、エリスリトール３が、高温の油２ａと直接接触することで、エリスリトール３に油２ａの熱が供給される。
【００６０】
そして、エリスリトール３に熱を供給した油２は、排出口６ｈから排出管６に流入する。そして、油２は、排出管６、熱交換器側パイプ７ａ、７ｂ内を流通し、そこで工場８０から排出された熱が、油２へと伝達されて熱供給される。蓄熱工程では、以上のようにして蓄熱が行なわれる。
【００６１】
次に、エリスリトール３への蓄熱が完了したかどうかが判断される。具体的には、例えばエリスリトール３の平均温度をモニタリングしておき、これがある基準値以上となった場合に蓄熱完了とする等の判断手法が考えられる。判断手法はこれ以外であってもよい。これにより、蓄熱が未だ完了していなければ、再び蓄熱工程が繰り返される。このように、蓄熱工程を繰り返すことで、工場８０で発生した熱を蓄熱容器１ａに十分蓄えることができる。一方、蓄熱が完了していると判断されれば、蓄熱工程が終了し、次の工程が行なわれる。
【００６２】
（熱輸送）
次に、輸送工程において、蓄熱容器１ａの輸送が行なわれる。これは、蓄熱の完了した蓄熱容器１ａを搭載したトラック等の輸送機構５０により行なわれるもので、蓄熱容器１ａが、工場８０から熱が利用される施設８５へと輸送される。ここで、輸送機構５０はトラック等の陸上走行車両には限られず、船舶や航空機であってもよい。また、蓄熱容器１ａは、接続口５１、５２における接続を解除して輸送される。以上のようにして、蓄熱及び蓄熱容器１ａの輸送が行なわれる。ここで、蓄熱容器１ａにおいて、蓄熱に対する寄与の小さい油２の含有量を少なくすることにより、油２が大量に含まれる場合に比べて、蓄熱容器１ａの重量が小さくなり熱輸送効率が高くなる。
【００６３】
（放熱）
次に、放熱工程では、施設８５において、蓄熱容器１ａに蓄えられた熱が回収・利用される。まず、接続口５３、５４において、熱交換器側パイプと、輸送工程により施設８５へ運び込まれた蓄熱容器１ａとが接続される。
【００６４】
そして、蓄熱容器１ａに蓄えられた熱の放熱が行なわれる。すなわち、施設８５において、蓄熱容器１ａの熱が利用される。放熱工程においては、蓄熱容器１ａに蓄えられた熱が、熱交換器５ｂを介して、施設８５へと伝達されることになる。
【００６５】
そして、熱供給後の油２が、熱交換器側パイプ７ｂ及び供給管４を通って、放出孔４ｈから、エリスリトール３が位置する蓄熱容器１ａの下層部分に供給される。ここで、油２はエリスリトール３よりも比重が小さいため、油２が、放出孔４ｈから蓄熱容器１ａの下層部分へ導入されたときに、エリスリトール３と直接接触しつつ、蓄熱容器１ａの上層部分へと上昇する。このときに、高温のエリスリトール３が、油２と直接接触することで、油２にエリスリトール３の熱が供給される。
【００６６】
そして、エリスリトール３から熱供給された油２ｂは、排出口６ｈから排出管６に流入する。そして、排出管６、熱交換器側パイプ７ａへ送られ、そこで油２ｂから施設８５へと熱が伝達され、施設８５において、蓄熱容器１ａの熱が利用される。放熱工程では、以上のようにして放熱が行なわれる。
【００６７】
次に、放熱が完了したかどうかが判断される。具体的には、例えばエリスリトール３の平均温度等をモニタリングしておき、これがある基準値以下となった場合に放熱完了と判断する等の手法が考えられる。判断手法はこれ以外であってもよい。これにより、放熱が未だ完了していなければ再び蓄熱工程が繰り返される。このように、放熱工程を繰り返すことで、蓄熱容器１ａのエリスリトール３に蓄えられた熱を、施設８５において十分に利用することができる。一方、放熱が完了していると判断されれば、放熱工程が終了する。
【００６８】
（供給機構、排気機構の動作について）
次に、供給機構８及び排気機構９の動作について、図４のフローチャートを参照しながら説明する。蓄熱容器１ａの内部において、エリスリトール３及び油２部分を除いた上部の空間部分１ｐには、供給機構８、排気機構９を動作させていない使用開始時等の状態では、空気が充填されていることになるので、この空間部分１ｐは酸素雰囲気であるといえる。そして、比重がエリスリトール３（比重：約１．４）よりも小さい油２（比重：約０．８）は、この空間部分１ｐの空気と接触しているために、油２には酸素が取り込まれ易い。この状態において、蓄熱時に１４０度以上となった高温の油２を循環させてエリスリトール３を加熱すると、油２中に含まれる酸素の影響によって、エリスリトール３が酸化により劣化し、その結果、エリスリトールが短寿命化してしまう。そこで、蓄熱システム１００では、エリスリトール３の劣化を防止するために、供給機構８及び排気機構９を用いて、蓄熱容器１ａの内部の空気を、外部から供給した窒素で置換する。以下、具体的に説明する。
【００６９】
まず、コンピュータ１０内の判断部１０ｅが、蓄熱容器１ａが、蓄熱時であるかどうかを判断する（図４のステップＳ１０１）。この判断については、例えばオペレータによるコンピュータ１０への入力操作によるものであってもよいし、蓄熱装置１の所定部位の温度をモニタリングすることにより、記憶部１０ｄのデータに基づいて判断部１０ｅが現在の状態を判断してもよい。
【００７０】
そして、蓄熱時であると判断された場合には（ステップＳ１０１：Ｙｅｓ）、判断部１０ｅは、酸素計９ｗによって測定された酸素量の計測値と、記憶部１０ｄ（後述）に記憶された酸素量の上限値を比較する（ステップＳ１０２）。そして、酸素量の計測値が上限値よりも大きい場合には（ステップＳ１０２：Ｙｅｓ）、排気機構９の制御により蓄熱容器１ａ内部の気体を排気し、供給機構８の制御により蓄熱容器１ａ内部へ窒素を供給する（ステップＳ１０３）。
【００７１】
次に、判断部１０ｅは、蓄熱が終了しているかどうかを判断する（ステップＳ１０４）。そして、蓄熱が終了していれば（ステップＳ１０４：Ｙｅｓ）動作は終了となり、蓄熱が終了していなければ（ステップＳ１０４：Ｎｏ）、再び酸素量と上限値とを比較（ステップＳ１０２）する。そして、酸素量の計測値が記憶部１０ｄの上限値よりも大きい場合には（ステップＳ１０２：Ｙｅｓ）、さらに再び排気、窒素供給を行なう（ステップＳ１０３）。
【００７２】
また、酸素量と上限値との比較（ステップＳ１０２）において、酸素量の測定値が上限値以下である場合には（ステップＳ１０２：Ｎｏ）、排気、窒素供給（ステップＳ１０３）を行なわずに蓄熱終了かどうかの判断（ステップＳ１０４）を行なう。
【００７３】
また、ステップＳ１０１の判断において、蓄熱時ではないと判断された場合にも（ステップＳ１０１：Ｎｏ）、窒素供給用のバルブ１ｖ、８ｖのうち少なくとも一方、及び、排気用のバルブ１ｗ、９ｖのうち少なくとも一方を閉じて、蓄熱容器１ａを密閉化して外気が容器内部へ侵入するのを防止する（ステップＳ２０１）。そして、動作は終了となる。
【００７４】
（効果）
本発明に係る蓄熱システム１００は上記のように構成されているので、供給機構８により、蓄熱容器１ａ内部へ不活性ガスが供給されることで、蓄熱容器１ａ内部の空間部分１ｐにおける酸素の比率が小さくなり、且つ、窒素（不活性ガス）の比率が大きくなるために、エリスリトール３の酸化が抑止される。そのため、蓄熱体であるエリスリトール３の短寿命化を防止できる。
【００７５】
また、蓄熱容器１ａは、窒素が蓄熱容器１ａ内部へ滞留可能となるように密閉状に形成されているので、供給機構８により供給された窒素が蓄熱容器１ａ内部に滞留するために、蓄熱容器１ａ内部の不活性ガスの比率を効率的に高めることができ、エリスリトール３の酸化がより効率的に抑止される。
【００７６】
また、蓄熱システム１００は、蓄熱容器１ａ内部の気体を排気する排気機構９と、供給機構８により窒素が供給されているときに蓄熱容器１ａ内部の気体が排気されるように排気機構９を制御する排気制御部１０ｂをさらに有しているので、蓄熱容器１ａ内部の酸素を取り除き、且つ、蓄熱容器１ａ内部へ窒素を供給することで、蓄熱容器１ａの内部の空気が窒素で置換され、エリスリトールの酸化がより効率的に抑止される。そのため、蓄熱体であるエリスリトールの短寿命化をより効率的に防止できる。また、窒素の供給時において排気するために、蓄熱容器１ａ内部の気圧を大きく変化させることなく、安定した内部状態を維持しつつ、蓄熱容器１ａ内部の気体（空気）を窒素と置換することができる。
【００７７】
また、蓄熱システム１００は、排気機構９により排気された気体中の酸素量を測定する酸素計９ｗと、酸素計９ｗを用いて測定された酸素量に応じて供給機構８及び排気機構９を制御する給排気制御手段１０ｃと、をさらに有しているので、排気された気体中の酸素量に応じて窒素の供給量、及び、排気される気体の量を変化させることで、供給機構８、排気機構９を効率的に制御して、エリスリトールの短寿命化をさらに効率的に防止できる。また、窒素の供給量を必要とされる最小限の量とすることができる。
【００７８】
また、供給機構８による窒素の供給は、エリスリトール３への蓄熱時において行なわれる。特に蓄熱時には、高温の油（熱交換媒体）２がエリスリトール３内部を経由して循環流通するために、エリスリトール３の酸化による劣化が早い。そのため、このような構成にすることにより、エリスリトールの短寿命化を効率的に防止できる。
【００７９】
また、本発明に係る蓄熱装置１は、上記のように構成されているため、供給機構８により蓄熱容器１ａ内部へ窒素が供給されることで、エリスリトールの酸化が抑止される。そのため、エリスリトールの短寿命化を防止できる。
【００８０】
また、蓄熱装置１は、蓄熱容器１ａから排気される気体の圧力を調整する圧力調整弁１ｑをさらに有しているため、蓄熱装置１の運搬中に、内部のガス抜きをすることができ、蓄熱容器１ａ内部の圧力を適切に調整できる。また、蓄熱時においても、排気される気体の量を細かく調整できるので、排気された気体の酸素量に応じて、気体が排気される量をより適切に調整でき、エリスリトールの短寿命化をさらに効率的に防止できる。
【００８１】
以上、本発明の実施形態について説明したが、本発明は上述の実施の形態に限られるものではなく、特許請求の範囲に記載した限りにおいて様々に変更して実施することができるものである。
【００８２】
例えば、蓄熱容器には、容器内部の温度をモニタリングするための温度センサが設置されており、この温度センサからの温度情報に基づいて、供給機構及び排気機構の制御を行なってもよい。
【００８３】
また、上記の実施形態では、蓄熱容器が密閉状となるように形成されているが、不活性ガスと容器内部の熱交換媒体との接触状態を維持できる機構（例えば、不活性ガスを容器内部の熱交換媒体表面に向かって常時供給し続けるような機構）があれば、蓄熱容器は必ずしも密閉状でなくてよい。
【００８４】
また、上記の実施形態では、排気機構（排気手段）が設けられており、排気制御手段は、供給機構（供給手段）により窒素が供給されているときに蓄熱容器内部の気体が排気されるように排気機構を制御するが、排気機構はなくてもよく、また、排気機構は、窒素の供給時以外に容器内部の気体を排気してもよい。関連して、蓄熱容器の上板部の排気用開口部はなくてもよい。
【００８５】
酸素計（酸素量測定手段）及び給排気制御部（給排気制御手段）はなくてもよい。また、窒素の供給は、蓄熱時以外において行なわれてもよい。また、蓄熱装置の圧力調整弁はなくてもよい。
【００８６】
また、上記の実施形態においては、移動式の蓄熱装置について説明しているが、本発明は定置式の蓄熱装置に適用されてもよい。
【００８７】
また、上記の実施形態においては、蓄熱容器内部の空気と不活性ガスとを置換しているが、不活性ガスと置換される気体は空気でなくてもよい。
【００８８】
また、蓄熱材として融解熱の高いエリスリトールを用いることで、蓄熱量が大きく、且つ、高い温度（約１１９度）での蓄熱が可能な熱輸送システムが得られ、熱利用施設８５において、蓄熱容器１ａを、例えば冷凍機に接続することにより、冷暖房に利用すること等が可能となる。
【図面の簡単な説明】
【００８９】
【図１】本発明の第１実施形態に係る蓄熱システム及び蓄熱装置を用いた蓄熱についての概略図。
【図２】蓄熱装置を含む蓄熱システムの蓄熱側を示す概略図。
【図３】図１のコンピュータの概略構成を示すブロック図。
【図４】図１の供給機構及び排気機構の動作を示すフローチャート。
【符号の説明】
【００９０】
１    蓄熱装置
１００    蓄熱システム
１ａ    蓄熱容器
１ｉ    供給用開口部
１ｑ    圧力調整弁
２    油（熱交換媒体）
３    エリスリトール（蓄熱体）
８    供給機構（供給手段）
９    排気機構（排気手段）
９ｗ    酸素計（酸素量測定手段）
１０ｂ    排気制御部（排気制御手段）
１０ｃ    給排気制御部（給排気制御手段）
【図１】
2008157578.tif 000003
【図２】
2008157578.tif 000004
【図３】
2008157578.tif 000005
【図４】
2008157578.tif 000006